(57)【要約】【課題】径の異なる三種類のチューブを保持することができるようにする。【解決手段】クランプ部１０は、その正面視において、全体がＵ字状の形態からなるものであり、水平部分を形成するベース部４と、当該ベース部４の両端部のところから直立状に形成される縦壁部６、６と、当該縦壁部６、６の最上端部から略斜め４５°の下方に向かって形成される第一保持腕１、１及び第二保持腕２、２、更には上記縦壁部６、６の中間部から下方に向かって斜めに設けられる第三保持腕３、３にて形成されるカンチレバー状の各保持腕と、からなる。これら構成からなる一群のクランプ部１０及び取付部５はプラスチック材にて一体的に形成される。【選択図】図１
2005240837.tif 000002
【特許請求の範囲】
【請求項１】
径の異なる三種類のチューブを装着することのできるように形成されたクランプ部を有するチューブクランプにおいて、そのクランプ部を、水平方向に設けられるベース部及び当該ベース部の両端部のところに直立状に設けられる縦壁部からなるＵ字状形態のフレーム部を基礎に形成されるものであって、上記ベース部の中央部のところに設けられ、かつ、円弧の一部にて形成される凹面状の受止め部と、Ｕ字状フレーム部の中央部に形成されるものであって上記受止め部を形成する円弧の円の中心点よりも上方側に所定量オフセットした状態で形成される仮想中心点に向かって上記両縦壁部の上端部のところからそれぞれ放射状に設けられるカンチレバー状の第一保持腕と、当該第一保持腕と同様に、当該第一保持腕の上記両縦壁部の上端部への付け根部のところから上記仮想中心点に向かってそれぞれ放射状に設けられるものであって上記第一保持腕よりも短く形成されるカンチレバー状の第二保持腕と、上記両縦壁部の途中から上記Ｕ字状フレーム部の中央部に向かって、かつ、斜め下方に伸びるようにそれぞれ形成されるものであって、それぞれの先端部が、上記両第一保持腕の先端部並びに上記仮想中心点を基点にして形成される円の円周線よりも内側に来るように形成された２本のカンチレバー状の第三保持腕と、からなるようにしたことを特徴とするチューブクランプ。
【請求項２】
径の異なる三種類のチューブを装着することのできるように形成されたクランプ部を有するチューブクランプにおいて、そのクランプ部を、水平方向に設けられるベース部及び当該ベース部の両端部のところに直立状に設けられる縦壁部からなるＵ字状形態のフレーム部を基礎に形成されるものであって、上記ベース部の中央部のところに設けられ、かつ、円弧の一部にて形成される凹面状の受止め部と、上記両縦壁部の上端部のところから、それぞれ斜め下方に向かって、かつ、左右対称形をなすように設けられるカンチレバー状の第一保持腕と、当該第一保持腕の上記両縦壁部の上端部への付け根部のところから、上記第一保持腕と同様、それぞれ、上記第一保持腕と同方向に、かつ、左右対称形を成すように設けられるものであって上記第一保持腕よりも短く形成されるカンチレバー状の第二保持腕と、上記両縦壁部の途中から上記Ｕ字状フレーム部の中央部に向かって、かつ、斜め下方に向かって伸びるようにそれぞれ形成されるものであって、それぞれの先端部が、上記第一保持腕のそれぞれの先端部に対応して、その下方部に設けられるとともに、左右対称形をなすように形成されるカンチレバー状の第三保持腕と、からなるようにしたことを特徴とするチューブクランプ。
【請求項３】
請求項１または請求項２のいずれかに記載のチューブクランプにおいて、上記第三保持腕のそれぞれの先端部のところに、円弧の一部にて形成されるものであって上側に向かって凹面を形成するとともに、それぞれが所定の円弧長さを有するように形成されるシュー部を設けるようにした構成からなることを特徴とするチューブクランプ。
【請求項４】
請求項１または請求項２のいずれかに記載のチューブクランプにおいて、上記第一保持腕及び第二保持腕の、それぞれの先端部のところに、下方に向かって凹面を形成するものであって所定の円弧長さを有するように形成され、かつ、左右対称形をなすように形成されたチューブ抜止め機能部を有する構成からなるようにしたことを特徴とするチューブクランプ。
【発明の詳細な説明】
【技術分野】
【０００１】
本発明は、径の異なる三種類のチューブを保持することのできるようにしたクランプ部を有するチューブクランプに関するものである。
【背景技術】
【０００２】
従来の、径の異なるチューブを保持することのできるようにしたチューブ保持用クランプとしては、例えば、特開平１１−２０１３３０号公報記載の如く、二種類の径の異なるチューブをクランプするようにしたものが挙げられる。このものは、長穴を半割状に切断することによって形成される横長半円状の受け部と、当該受け部を基礎に、この横長半円状受け部の上方部に設けられるものであって長さの異なる２本の抜け止め片と、からなることを基本とするものである。そして、これら抜け止め片のうちの、その長さが短目のものは、径の値が大きなもの、すなわち、太目のチューブの保持を担うようになっているものであり、長い方のものは、径の値の小さいチューブ（細いチューブ）の保持を担うようになっているものである。
【特許文献１】特開平１１−２０１３３０号公報
【発明の開示】
【発明が解決しようとする課題】
【０００３】
ところで、上記従来のものにおいては、径の小さなもの、すなわち、細目のチューブの保持は、上記長い方の抜け止め片と上記受け部内に設けられるものであって弾性変形が可能なように形成された第二受け部とによって行なわれるようになっているものである。一方、径の値の大きなもの、すなわち太目のチューブの保持は横長半円状の第一受け部と短い方の抜け止め片とにて行なわれるようになっているものである。これらのことから、この従来のものにおいては、細い径のチューブを保持する場合と太い径のチューブを保持する場合とで、保持されるチューブ間のピッチに差異が生ずることとなり、正確なチューブの保持（クランプ）を行なうことができないと言う問題点がある。また、各クランプ部（保持部）間の間隔を横長半円状の受け部に合わせて設定しなければならず、クランプ部間のピッチを大きく（広く）とらざるを得ないと言う問題点がある。更には、径の異なる二種類のチューブについてしか保持をすることができないと言う問題点がある。このような問題点、特に、径の異なる三種類のチューブを、チューブの保持間隔を小さな値に保った状態で確実に保持することのできるようにしたクランプ部を有するチューブクランプを提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、径の異なる三種類のチューブを装着することのできるように形成されたクランプ部を有するチューブクランプに関して、そのクランプ部を、水平方向に設けられるベース部及び当該ベース部の両端部のところに直立状に設けられる縦壁部からなるＵ字状形態のフレーム部を基礎に形成されるものであって、上記ベース部の中央部のところに設けられ、かつ、円弧の一部にて形成される凹面状の受止め部と、Ｕ字状フレーム部の中央部に形成されるものであって上記受止め部を形成する円弧の円の中心点よりも上方側に所定量オフセットした状態で形成される仮想中心点に向かって上記両縦壁部の上端部のところからそれぞれ放射状に設けられるカンチレバー状の第一保持腕と、当該第一保持腕と同様に、当該第一保持腕の上記両縦壁部の上端部への付け根部のところから上記仮想中心点に向かってそれぞれ放射状に設けられるものであって上記第一保持腕よりも短く形成されるカンチレバー状の第二保持腕と、上記両縦壁部の途中から上記Ｕ字状フレーム部の中央部に向かって、かつ、斜め下方に伸びるようにそれぞれ形成されるものであって、それぞれの先端部が、上記両第一保持腕の先端部並びに上記仮想中心点を基点にして形成される円の円周線よりも内側に来るように形成された２本のカンチレバー状の第三保持腕と、からなるようにした構成を採ることとした。
【０００５】
また、請求項２記載の発明である第二の発明においては、径の異なる三種類のチューブを装着することのできるように形成されたクランプ部を有するチューブクランプに関して、そのクランプ部を、水平方向に設けられるベース部及び当該ベース部の両端部のところに直立状に設けられる縦壁部からなるＵ字状形態のフレーム部を基礎に形成されるものであって、上記ベース部の中央部のところに設けられ、かつ、円弧の一部にて形成される凹面状の受止め部と、上記両縦壁部の上端部のところから、それぞれ斜め下方に向かって、かつ、左右対称形をなすように設けられるカンチレバー状の第一保持腕と、当該第一保持腕の上記両縦壁部の上端部への付け根部のところから、上記第一保持腕と同様、それぞれ、上記第一保持腕と同方向に、かつ、左右対称形を成すように設けられるものであって上記第一保持腕よりも短く形成されるカンチレバー状の第二保持腕と、上記両縦壁部の途中から上記Ｕ字状フレーム部の中央部に向かって、かつ、斜め下方に向かって伸びるようにそれぞれ形成されるものであって、それぞれの先端部が、上記第一保持腕のそれぞれの先端部に対応して、その下方部に設けられるとともに、左右対称形をなすように形成されるカンチレバー状の第三保持腕と、からなるようにした構成を採ることとした。
【０００６】
また、請求項３記載の発明である第三の発明においては、請求項１または請求項２のいずれかに記載のチューブクランプに関して、上記第三保持腕のそれぞれの先端部のところに、円弧の一部にて形成されるものであって上側に向かって凹面を形成するとともに、それぞれが所定の円弧長さを有するように形成されるシュー部を有するようにした構成を採ることとした。
【０００７】
また、請求項４記載の発明である第四の発明においては、請求項１または請求項２のいずれかに記載のチューブクランプに関して、上記第一保持腕及び第二保持腕の、それぞれの先端部のところに、下方に向かって凹面を形成するものであって所定の円弧長さを有するように形成され、かつ、左右対称形をなすように形成されたチューブ抜止め機能部を有するようにした構成を採ることとした。
【発明の効果】
【０００８】
第一の発明によれば、径の異なる三種類のチューブを、それぞれ確実に保持（クランプ）することができるようになる。すなわち、最も径の太いチューブに対しては、その下方部が上方に凹面状に開いた形態の受止め部にて下側から支えられるとともに、上方部は両側の縦壁部の上端部のところから斜め下方に向かって伸びるように、更には、チューブの中心に向かって放射状に形成される複数本のカンチレバー状第二保持腕の先端部にて上側から押え付けられるように保持されることとなる。そして、このような大径のチューブを上方から押え付けるように保持する第二保持腕は、所定のバネ反力を発揮するカンチレバー状部材にて形成されるようになっていることより、このような保持部（クランプ部）へのチューブの挿入作業は、上記カンチレバー状の第二保持腕を横方向に弾性変形させることによって容易に行なわせることができるようになる。そして、一旦、上記クランプ部内に挿入されたチューブは、上記第二保持腕の弾性力によって下方の受止め部側へ常時押し付けられるようになり、チューブは確実に上記クランプ部内に保持されるようになる。また、中程度の径を有するチューブは、下側は、上記大径のものと同様、受止め部にて支えられるとともに、上方部側は、上記第二保持腕よりも長目に設定された第一保持腕によって上方から押え付けられるように保持されることとなり、チューブ全体は確実に保持されることとなる。また、これよりも更に小さな径を有する小径チューブに関しては、上方側は上記第一保持腕の先端部にて下側へ押え付けられるようになるとともに、下側は第三保持腕の先端部にて、当該第三保持腕の下側から上方に向かって作用するバネ反力にて支えられるようになる。すなわち、最も径の小さい小径のチューブは、下側から支える第三保持腕と上側から押え付けるように作用する第一保持腕との４点支持構造にて全体が確実に保持されることとなる。
【０００９】
また、第二の発明のものにおいても、上記第一の発明のものと同様、大、中、小の三つの異なった径を有するチューブが、それぞれ、第一保持腕、第二保持腕、第三保持腕、及び受止め部の相互作用によって、確実にクランプ部のところに保持されるようになる。
【００１０】
また、第三の発明のものにおいては、第三保持腕の先端部のところには、上側に向かって凹面部を有するシュー部が設けられるようになっていることより、このシュー部の凹面部が小径チューブを保持する際に、小径チューブの下側を上方に持上げるように支持することとなり、小径チューブの保持が確実に行なわれるようになる。
【００１１】
また、第四の発明のものにおいては、第一保持腕及び第二保持腕の先端部のところには、下側に向かって凹面を形成するものであって所定の円弧長さを有するように形成されたチューブ抜止め機能部が設けられるようになっており、クランプ部内に一旦嵌り込んだ各チューブは、チューブの上側の面は、斜め上方から延びてくるカンチレバー状保持腕にて押し付けられるとともに、上記カンチレバー状保持腕の先端部に形成されたチューブ抜止め機能部の作用によって、常時斜め下方へと押し付けられるようになる。その結果、一旦クランプ部内に保持されたチューブは、上方へは抜け出るようなことがない。すなわち、各チューブは、上記第一保持腕及び第二保持腕の先端部に形成されたチューブ抜止め機能部によって、確実に上記クランプ部内に保持されるようになる。
【発明を実施するための最良の形態】
【００１２】
本発明を実施するための最良の形態について、図１ないし図５を基に説明する。本実施の形態にかかるものは、図１に示す如く、一定の幅を有するクランプ部１０と、これらクランプ部１０が複数個並列に設けられた状態において、これら一群のクランプ部を一体的にまとめて所定の部材に取付ける役目を果たす取付部５と、からなることを基本とするものである。なお、このような構成からなるクランプ部１０は、その正面視において、例えば図２に示す如く、全体がＵ字状の形態からなるものであり、水平部分を形成するベース部４と、当該ベース部４の両端部のところから直立状に形成される縦壁部６、６と、当該縦壁部６、６の最上端部から略斜め４５°の下方に向かって延びるように形成される第一保持腕１及び第二保持腕２、更には上記縦壁部６、６の中間部から下方に向かって斜めに設けられる第三保持腕３、３にて形成されるカンチレバー状の各保持腕と、からなるものである。そして、これら構成からなる一群のクランプ部１０及び取付部５等はプラスチック材にて一体的に成形されるようになっているものである。
【００１３】
このような構成からなるものにおいて、上記クランプ部１０は水平方向に形成されるベース部４及び当該ベース部４の両端部のところから直立状に、かつ、平行に設けられる両縦壁部６、６にて形成されるＵ字状の形態からなるフレーム部を基礎に形成されるようになっているものである。そして、このようなＵ字状形態からなるフレーム部の、その中央部のところには、クランプ部１０の幅方向全体にわたって形成される受止め部４１が設けられるようになっているものである。この受止め部４１は上方に向かって凹面状の形態を有するものであり、当該凹面を形成する円の中心点は、図２に示す如く、両縦壁部６、６間の中央部に形成される中心線（ＯＯ）上の所定の位置であるＯ２点となっているものである。そして、このような受止め部４１を有するベース部４等とともにクランプ部１０を形成する両縦壁部６、６の最上端部のところには、４５°を中心として約３０°から５０°の範囲内の角度をもって斜め下方に向かって延びるように形成される第一保持腕１、１及び第二保持腕２、２が設けられるようになっている。また、上記両縦壁部６、６の中間部のところからは、下方に向かって、かつ、略斜め４５°の角度をもって第三保持腕３、３が設けられるようになっている。そして、これら各腕１、１、２、２、３、３は、平行に設けられる両縦壁部６、６の中央部に形成される中心線（ＯＯ）に対して、左右対称形をなすように設けられるようになっているものである。
【００１４】
次に、これら構成からなる各保持腕１、２、３についての詳細構造について説明する。まず、中程度の径を有するチューブ（以下中径チューブと言う）及び径の値が最も小さなチューブ（以下小径チューブと言う）の保持に係わりあう第一保持腕１、１について説明する。このものは、図１及び図２に示す如く、クランプ部１０の幅方向内側のところに設けられるものであって、両縦壁部６、６の最上端部のところから下方に向かって略斜め４５°の角度をもって設けられるカンチレバー状の形態からなるものである。また、その側面視においては、図２に示す如く、両縦壁部６、６の間の中央部に形成される中心線（ＯＯ）上であって、上記受止め部４１を形成する凹面の円の中心点（Ｏ２）よりも所定量上方にオフセットした位置に形成される仮想中心点（Ｏ１）を基点にした放射線方向に延在するような形態を有するようになっているものである。そして、その先端部のところには、下方に向かって凹面を形成するものであって所定の円弧長さを有するように形成されたチューブ抜止め機能部１１、１１が左右対称形をなすように設けられるようになっているものである。そして、このような構成からなるチューブ抜止め機能部１１、１１の、その各先端部１１１、１１１は、図２に示す如く、上記凹面状受止め部４１を形成する円の中心点（Ｏ２）を中心として形成される円の円周線上に来るように設定されているものである。
【００１５】
次に、第二保持腕２、２は、上記第一保持腕１、１と同様、両縦壁部６、６の最上端部のところから、略斜め４５°の下方に向かって形成されるカンチレバー状の腕部材からなるものである。具体的には、図１に示す如く、クランプ部１０の幅方向において上記第一保持腕１、１の外側に２本並列に設けられるものであって、このような腕部材が上記第一保持腕１、１の場合と同様、仮想中心点であるＯ１点を中心とした放射線方向に左右対称形をなすように設けられるようになっているものである。そして、それぞれの第二保持腕２、２の先端部のところには、上記第一保持腕１、１の場合と同様、下方に向かって凹面を形成するものであって所定の円弧長さを有するように形成されたチューブ抜止め機能部２１、２１が左右対称形をなすように設けられるようになっている。なお、このような構成からなる本第二保持腕２、２は、その長さが、図２に示す如く、上記第一保持腕１、１よりも短く設定されており、大径のチューブを保持する際に利用されるようになっているものである。具体的には、図２に示す如く、腕の先端部に形成される上記チューブ抜止め機能部２１、２１の、その各先端部２１１、２１１のところが、上記仮想中心点（Ｏ１）を基点とした所定の径を有する円の円周上に来るように設定されているものである。
【００１６】
次に、第三保持腕３、３は、上記両縦壁部６、６の中間部のところから斜め下方に向かって延びるように設けられるものであって、かつ、カンチレバー状の形態からなるものである。そして、その先端部のところには、凹面状の受け面を有するシュー部３３、３３が設けられるようになっているものである。そして更に、これらシュー部３３、３３を形成する凹面状の受け面の位置は、上記仮想中心点（Ｏ１）を中心として、上記第一保持腕１、１の先端部に設けられるチューブ抜止め機能部１１、１１の、その各先端部１１１、１１１にて形成される円の円周線よりも若干内側に入ったところに設定されるようになっているものである。このような構成からなる本第三保持腕３、３のシュー部３３、３３、並びに第一保持腕１、１の先端部に形成されたチューブ抜止め機能部１１、１１の凹面にて、小径のチューブが４点支持構成にて保持（クランプ）されるようになっているものである。
【００１７】
次に、このような構成からなるクランプ部１０への各種チューブの装着態様について、図３ないし図５を基に説明する。まず、径の最も太いチューブ、すなわち、大径チューブ９の装着される場合について、図３を基に説明する。この場合、まず、図３の（Ａ）に示す如く、径の太いチューブ９を左右に設けられた第一保持腕１、１及び第二保持腕２、２の間に設置するとともに、このような状態においてチューブ９を図３の（Ａ）に示す矢印方向に押し込む。これによって弾力性を有する上記各保持腕１、１、２、２は撓んで、左右に開いた状態となる。その結果、チューブ９は第一保持腕１、１の先端部に形成されたチューブ抜止め機能部１１、１１及び第二保持腕２、２の先端部に形成されたチューブ抜止め機能部２１、２１の間を滑って、図３の（Ｂ）に示す如く、受止め部４１のところに、チューブ９の下方部が接した状態で収まる。また、これと同時に、チューブ９の上側部分は、図３の（Ｂ）に示す如く、カンチレバー状第二保持腕２、２の軸方向突張り力によって、上方斜め４５°方向から下方へ向かって押え付けられるようになる。更に、これらに加えて、上記第二保持腕２、２の先端部に設けられたチューブ抜止め機能部２１、２１を形成する凹面部のところが所定の円弧長さを保持した状態でチューブ９の上側部分の斜め４５°方向円周面のところに接触するようになる。その結果、このチューブ抜止め機能部２１、２１の斜め下方への押付力によって、上記チューブ９は、その上方向への移動が規制されるようになる。そして、この状態においては、第一保持腕１、１は図３の（Ｂ）に示すように撓んで、第一保持腕１、１の先端部に形成されたそれぞれのチューブ抜止め機能部１１、１１が第一ポケット部６１内に収容されるようになる。また、これと同時に、上記第一保持腕１、１の撓み変形によって生ずる弾性力が上記チューブ９の中心点である仮想中心点（Ｏ１）方向に作用する。また、第三保持腕３、３も撓んで、その先端部に形成されるシュー部３３、３３は第二ポケット部６２内に収容されるようになる。また、上記第二保持腕２、２は適度の弾性反発力を有するようになっているとともに、その先端部に形成される凹面状のチューブ抜止め機能部２１、２１は、それぞれ所定の円弧長さを有するようになっているので、装着されるチューブ９の、その径の値に多少の製品バラツキがあったとしても、各チューブ９の斜め４５°上方向の円周面のところは、上記チューブ抜止め機能部２１、２１を形成する凹面部にて確実に上側から押え付けられるようになる。その結果、チューブ９の抜止め機能が効果的に発揮されるようになる。
【００１８】
次に、径の値が中程度のものである中径チューブの装着態様について、図４を基に説明する。この場合も、上記大径チューブの場合と同様、チューブ９を、図４の（Ａ）に示す如く、左右に設けられた第一保持腕１、１及び第二保持腕２、２との間に割り込ませる。そうすると、弾力性を有する上記各保持腕１、１、２、２は撓んで左右に開くようになる。その結果、チューブ９は第一保持腕１、１及び第二保持腕２、２の、それぞれの先端部に設けられたチューブ抜止め機能部１１、１１、２１、２１のところを滑って、図４の（Ｂ）に示す如く、その下方部がベース４に設けられた受止め部４１の受止め面のところに接した状態で収まるようになる。これと同時に、上側の部分は、図４の（Ｂ）に示す如く、カンチレバー状の第一保持腕１、１の軸方向突張り力によって、略上側斜め４５°方向から中心点（Ｏ２）へ向かって押え付けられるようになる。更に、これらに加えて、上記第一保持腕１、１の先端部に設けられたチューブ抜止め機能部１１、１１を形成する凹面部がチューブ９の上側部分であって斜め４５°方向の円周面上に所定の円弧長さを保持した状態で接触係合するようになる。その結果、このチューブ抜止め機能部１１、１１の凹面部にて形成される斜め４５°下方へ向かっての押付力によって、チューブ９は、その上方向への移動が規制されるようになる。また、このとき、チューブ９の下方部の一部は、第三保持腕３、３のバネ反力によって中心点であるＯ２方向に押し付けられるようになる。その結果、チューブ９は横断面部におけるその全周にわたってほぼ均等な状態で中心点（Ｏ２）方向に押し付けられるようになり、クランプ部１０内に確実に保持されるようになる。また、本大径チューブ９の保持の場合においても、上記中径チューブ９の保持の場合と同様、チューブ９の径の値に多少の製品バラツキがあったとしても、各保持腕１、１の先端部に形成されたチューブ抜止め機能部１１、１１における凹面部によって、チューブ９の斜め上方４５°方向のチューブ外周面のところが確実に保持されるようになり、チューブ９の上方向への抜止め機能が発揮されるようになる。
【００１９】
次に、径の値の最も小さな小径チューブの装着態様について、図５を基に説明する。この場合、まず、図５の（Ａ）に示す如く、径の値の小さな小径チューブ９を左右に設けられた第一保持腕１、１及び第二保持腕２、２の間に設置するとともに、このような状態においてチューブ９を図５の（Ａ）に示す矢印方向に押し込む。これによって弾力性を有する上記各保持腕１、１、２、２は撓んで、左右に開いた状態となる。その結果、チューブ９は第一保持腕１、１の先端部に形成されたチューブ抜止め機能部１１、１１及び第二保持腕２、２の先端部に形成されたチューブ抜止め機能部２１、２１の間を滑って、図５の（Ｂ）に示す如く、受止め部４１の手前のところに、上記第三保持腕３、３の先端部に設けられた左右のシュー部３３、３３の、その凹面状受止め面にて受け止められることとなる。このような状態で、チューブ９は、その保持位置が設定されることとなる。また、これと同時に、チューブ９の上側部分は、図５の（Ｂ）に示す如く、カンチレバー状第一保持腕１、１の軸方向突張り力によって、上方斜め４５°方向から下方へ向かって押え付けられるようになる。更に、これらに加えて、上記第一保持腕１、１の先端部に設けられたチューブ抜止め機能部１１、１１の凹面部のところがチューブ９の上側部分の斜め４５°方向円周面のところに所定の円弧長さを保持した状態で接触するようになる。その結果、上記チューブ９は、その上方向への移動が規制されるようになる。このように、本実施の形態のものにおいては、小径チューブ９は、図５の（Ｂ）に示す如く、仮想中心点（Ｏ１）を中心にして上側からは左右の第一保持腕１、１の先端部に形成されたチューブ抜止め機能部１１、１１を形成する凹面部にて、また、下側からは第三保持腕３、３の先端部に形成された左右のシュー部３３、３３にて保持されるようになる。すなわち、４点支持構成にて均等な状態で保持されるようになる。
【００２０】
このように、本実施の形態のものにおいては、上方斜め４５°方向から左右対称形に設けられた第一保持腕１、１及び第二保持腕２、２、更には下側から支えるように形成されるものであって左右対称形をなすように設けられた第三保持腕３、３によって、大、中、小と径の異なる三種類のチューブ９が、それぞれ確実に保持されるようになる。また、このようにして各クランプ部１０に装着される各種チューブ９は、その径が異なるものにおいても、取付ピッチに差異が生じない状態で配置されるようになる。また、このような各種チューブ９の上記クランプ部１０への装着作業も、簡単な手作業によって効率良く行なわれるようになる。
【００２１】
また、本実施の形態のものにおいては、上記構成からなるチューブクランプを、その全体がプラスチック材にて一体的に形成されるようにしたので、例えばチューブクランプ全体を熱可塑性プラスチック材を用いたインジェクション成形手段等にて一体的に成形することができるようになり、その生産性の向上、延いては製造コストの低減化を図ることができるようになる。
【図面の簡単な説明】
【００２２】
【図１】本発明の全体構成を示す斜視図である。
【図２】本発明の主要部を成すクランプ部の全体構成を示す正面図である。
【図３】本発明にかかるクランプ部に、径の値が最も大きい大径チューブが装着される場合の、その態様を示す図である。
【図４】本発明にかかるクランプ部に、径の値が中程度の中径チューブが装着される場合の、その態様を示す図である。
【図５】本発明にかかるクランプ部に、径の値が最も小さい小径チューブが装着される場合の、その態様を示す図である。
【符号の説明】
【００２３】
１  第一保持腕
１１  チューブ抜止め機能部
１１１  先端部
２  第二保持腕
２１  チューブ抜止め機能部
２１１  先端部
３  第三保持腕
３３  シュー部
４  ベース部
４１  受止め部
５  取付部
６  縦壁部
６１  第一ポケット部
６２  第二ポケット部
９  チューブ
１０  クランプ部
【図１】
2005240837.tif 000003
【図２】
2005240837.tif 000004
【図３】
2005240837.tif 000005
【図４】
2005240837.tif 000006
【図５】
2005240837.tif 000007